(57)【要約】  ソースドライバ数の増加を極力抑えながら輝度を向上できる表示装置を提供する。表示画面の行方向のサイズを行方向の画素数で割り算した値を、行方向での１画素に相当する長さとしたとき、行方向の色配列の一周期が２個分の画素に相当する長さであって、その色配列の一周期は、光の三原色レッド（Ｒ）、グリーン（Ｇ）、ブルー（Ｂ）のサブピクセル１を含んで１行に沿って配置された、サブピクセル構成が互いに等しい２個のサブピクセル群と、１個の追加サブピクセル１Ａと、から構成される。各サブピクセル１、１Ａにそれぞれ行方向に延びる走査線２及び列方向に沿って延びる信号線３が接続される。
2007088656.tif 000002
【特許請求の範囲】
【請求項１】
サブピクセルが表示画面上に配列され、各サブピクセルにそれぞれ行方向に延びる走査線及び列方向に沿って延びる信号線が接続された表示パネルを備える表示装置において、
表示画面の行方向のサイズを行方向の画素数で割り算した値を、行方向での１画素に相当する長さとしたとき、行方向の色配列の一周期が２以上のｍ個分の画素に相当する長さであって、
その色配列の一周期は、
光の三原色又はこの三原色と補色関係にある三原色のサブピクセルを少なくとも含んで１行に沿って配置された、サブピクセル構成が互いに等しいｍ個のサブピクセル群と、
１個以上ｍ個未満の追加サブピクセルと、から構成される。
【請求項２】
請求項１に記載の表示装置において、
前記表示パネルにおける色配列がストライプ配列である。
【請求項３】
サブピクセルが表示画面上に配列され、各サブピクセルにそれぞれ行方向に延びる走査線及び列方向に沿って延びる信号線が接続された表示パネルを備える表示装置において、
表示画面の行方向のサイズを行方向の画素数で割り算した値を、行方向での１画素に相当する長さとしたとき、行方向の色配列の一周期が２以上のｍ個分の画素に相当する長さであって、
その色配列の一周期は、
光の三原色又はこの三原色と補色関係にある三原色のサブピクセルを少なくとも含んで２行２列にずれずに配置された、サブピクセル構成が互いに等しいｍ個のサブピクセル群と、
１列以上ｍ列未満の追加サブピクセルと、から構成される。
【請求項４】
サブピクセルが表示画面上に配列され、各サブピクセルにそれぞれ行方向に延びる走査線及び列方向に沿って延びる信号線が接続された表示パネルを備える表示装置において、
表示画面の行方向のサイズを行方向の画素数で割り算した値を、行方向での１画素に相当する長さとしたとき、行方向の色配列の一周期が２以上のｍ個分の画素に相当する長さであって、
その色配列の一周期は、
光の三原色又はこの三原色と補色関係にある三原色のサブピクセルを少なくとも含んで２行にわたって１行ごとに半サブピクセルずれて配置された、サブピクセル構成が互いに等しいｍ個のサブピクセル群と、
１個以上ｍ個未満の追加サブピクセルと、から構成される。
【請求項５】
請求項１〜４のいずれかに記載の表示装置において、
前記色配列の一周期に含まれる１行のサブピクセル数は奇数個である。
【請求項６】
請求項１〜４のいずれかに記載の表示装置において、
前記追加サブピクセルは、全ての前記サブピクセル群の間に１個ずつ、合計（ｍ−１）個含まれている。
【請求項７】
請求項１〜４のいずれかに記載の表示装置において、
前記各信号線には、周期的に正負の極性が反転する電圧のソース信号が、１行に沿ったサブピクセルに対し１つ又は２つずつで交互に極性が異なるように印加される。
【請求項８】
請求項１〜４のいずれかに記載の表示装置において、
前記追加サブピクセルよりも輝度が高いサブピクセルは、前記サブピクセル群の中には存在しない。
【請求項９】
請求項８に記載の表示装置において、
前記追加サブピクセルの色は、ホワイト、イエロー、シアン又はグリーンである。
【請求項１０】
請求項１〜４のいずれかに記載の表示装置において、
前記追加サブピクセルと前記サブピクセル群に含まれるサブピクセルとは、面積が互いに略同じである。
【請求項１１】
請求項１〜４のいずれかに記載の表示装置において、
前記追加サブピクセルは、その面積が前記サブピクセル群に含まれるサブピクセルの面積よりも大きい。
【請求項１２】
請求項１〜４のいずれかに記載の表示装置において、
前記色配列の一周期が少なくとも４色のサブピクセルを含んでおり、かつ前記追加サブピクセルの色が１色のとき、そのうちで最も輝度の高いサブピクセル同士、２番目に輝度の高いサブピクセル同士、及び、最も輝度の高いサブピクセルと２番目に輝度の高いサブピクセル同士は、１行に沿って互いに隣接しない。
【請求項１３】
請求項１〜４のいずれかに記載の表示装置において、
前記色配列の一周期が３色のサブピクセルを含んでおり、そのうちで最も輝度の高いサブピクセル同士は、１行に沿って互いに隣接しない。
【請求項１４】
請求項１〜４のいずれかに記載の表示装置において、
前記追加サブピクセルの階調レベルは、その追加サブピクセルの左方向に位置するサブピクセル群及び右方向に位置するサブピクセル群のいずれか一方のサブピクセル群に含まれるサブピクセルの階調レベルに基づいて設定される。
【請求項１５】
請求項１４に記載の表示装置において、
前記追加サブピクセルの階調レベルとして、前記一方のサブピクセル群に含まれるサブピクセルの階調レベルのうちの最も小さい階調レベルが設定される。
【請求項１６】
請求項１〜４のいずれかに記載の表示装置において、
前記追加サブピクセルの階調レベルは、その追加サブピクセルの左方向に位置するサブピクセル群及び右方向に位置するサブピクセル群の両方のサブピクセル群に含まれるサブピクセルの階調レベルに基づいて設定される。
【請求項１７】
請求項１６に記載の表示装置において、
前記追加サブピクセルの階調レベルとして、前記左方向に位置するサブピクセル群に含まれるサブピクセルの階調レベルのうちの最も小さい階調レベルと、前記右方向に位置するサブピクセル群に含まれるサブピクセルの階調レベルのうちの最も小さい階調レベルとのより小さい方が設定される。
【請求項１８】
請求項１６に記載の表示装置において、
前記追加サブピクセルの階調レベルとして、前記左方向に位置するサブピクセル群に含まれるサブピクセルの階調レベルのうちの最も小さい階調レベルと、前記右方向に位置するサブピクセル群に含まれるサブピクセルの階調レベルのうちの最も小さい階調レベルとのより大きい方が設定される。
【請求項１９】
請求項１６に記載の表示装置において、
前記追加サブピクセルの階調レベルとして、前記左方向に位置するサブピクセル群に含まれるサブピクセルの階調レベルのうちの最も小さい階調レベルと、前記右方向に位置するサブピクセル群に含まれるサブピクセルの階調レベルのうちの最も小さい階調レベルとの平均値が設定される。
【請求項２０】
請求項１〜４のいずれかに記載の表示装置において、
前記追加サブピクセルと前記サブピクセル群に含まれるサブピクセルとにおける互いのゲート・ドレイン間容量の比率及び補助容量の比率が互いの面積の比率と略同じである。
【請求項２１】
請求項１〜４のいずれかに記載の表示装置において、
前記表示パネルは、一対の基板間に挟持された液晶と、その基板のうちの一方の基板上に前記各サブピクセルに対応して形成された電極と、他方の基板上にその電極に対向して形成された共通電極及びカラーフィルタと、を含む。
【請求項２２】
請求項２１に記載の表示装置において、
前記カラーフィルタの色膜厚が略一定である。
【発明の詳細な説明】
【技術分野】
【０００１】
本発明は、液晶ディスプレイや有機エレクトロルミネセンス（ＥＬ：Electro  Luminescent）ディスプレイ等といった、カラー表示用の表示パネルを備える表示装置に関する。
【背景技術】
【０００２】
この種の表示装置は、一般に規則的に配列された多数の画素（ピクセル）によりカラー画像を形成する表示パネルを備え、パーソナルコンピュータや携帯電話機や携帯情報端末や薄型テレビ等の表示画面として広く一般に普及している。ここでの画素は、カラーでの表示を実現するために、１つの画素が、一般には、光の三原色であるレッド（Ｒ）、グリーン（Ｇ）、ブルー（Ｂ）の３色のサブピクセルより構成される。サブピクセルは、個別に駆動制御することが可能な表示単位である。【０００３】
なお、１つの画素に含まれるサブピクセルの色については、特に光の三原色に限定されるものではなく、カラー表示が実現されるものであればよい。例えば、光の三原色と補色関係にある三原色であるシアン（Ｃ）、イエロー（Ｙ）、マゼンタ（Ｍ）の３色であってもよいし、両者を含むものであってもよい。【０００４】
サブピクセルそれぞれには、行方向（表示画面の横方向）に延びる走査線（ゲート線）と、列方向（表示画面の縦方向）に延びる信号線（ソース線）とが接続される。各サブピクセルは、コントローラから各走査線、各信号線を通じて印加されるソース信号、ゲート信号によって駆動され、これによりカラー表示が行われる。【０００５】
ところで、カラー画像を精細に高品質で形成するためには、画素を構成するサブピクセルの構成等が大きく影響することから、従来より種々の態様が用いられている。一般に、光の三原色（Ｒ、Ｇ、Ｂ）を採用した場合の３色のサブピクセルの色配列としては、ストライプ配列、モザイク配列、スクエア配列、デルタ配列等がある。【０００６】
ストライプ配列は、図３３に示すように、１画素を構成する３個（３色を１つずつ）のサブピクセルを１行に配置して、これを行方向に沿って繰り返すとともに、列方向では同じ色のサブピクセルが並ぶようにその１行を繰り返した配列である。モザイク配列は、図３４に示すように、１画素を構成する３個（３色を１つずつ）のサブピクセルを１行に配置して、これを行方向に沿って繰り返すとともに、列方向では順に異なる色のサブピクセルが並ぶように１行ごとに１サブピクセルずらした配列である。【０００７】
スクエア配列は、図３５に示すように、１画素を構成する４個（３色のうちＲ、Ｂを１つずつＧを２つ）のサブピクセルを２行にわたってスクエア状に配置して、これを行方向に沿って繰り返すとともに、列方向にその２行を繰り返して並べた配列である。デルタ配列は、図３６に示すように、１画素を構成する３個（３色を１つずつ）のサブピクセルを２行にわたってデルタ状に配置して、これを行方向に沿って交互に上下逆さにしながら繰り返すとともに、列方向にその２行が繰り返して並ぶように１行ごとに半サブピクセルずらした配列である。【０００８】
これらのサブピクセルの色配列は、製品によって使い分けられ、特に、高い精細度が要求されるＴＶ用やパーソナルコンピュータ用の表示装置には、ストライプ配列が用いられることが多い。【０００９】
また、各信号線には、周期的に正負の極性が反転する電圧のソース信号が印加されるわけであるが、フリッカと呼ばれる表示のちらつきの発生を抑制するために、一般に、１行に沿ったサブピクセルに対し交互に極性が異なる（反転する）ような電圧のソース信号を印加するという極性反転駆動方式を採用している。なお列方向でのフリッカも抑制すべく、１列に沿ったサブピクセルに対し交互に極性が異なるような電圧のソース信号を印加している。【００１０】
更に、近年の表示装置にはより一層の輝度の向上が求められており、これを実現するために、光の三原色（Ｒ、Ｇ、Ｂ）のサブピクセルに輝度の高いホワイト（Ｗ）等のサブピクセルを加えた４色のサブピクセルで１画素を構成して配列したものがある（例えば、特許文献１〜５参照）。このようにすれば、４色目のサブピクセルによって各画素の輝度が増し、表示装置としての基本性能が向上することとなる。
【特許文献１】特開平２−１１８５２１号公報
【特許文献２】特開平１１−２９５７１７号公報
【特許文献３】特開平１０−１０９９８号公報
【特許文献４】特開２００４−１０２２９２号公報
【特許文献５】特開２００５−６２８６９号公報
【発明の開示】
【発明が解決しようとする課題】
【００１１】
しかし、輝度の向上を実現すべく１画素に４色目のサブピクセルを加えた場合、以下に示すような問題が生じる。１画素ごとに４色目のサブピクセルを加えたため、その加えたサブピクセルの分画素ごとのソースドライバ数が増加するという問題が生じる。ここでいうソースドライバは、信号線に駆動信号を出力する装置であり、信号線一本に対してひとつずつ設けられている。【００１２】
そこで本発明は、上記の問題に鑑みてなされたものであり、ソースドライバ数の増加を極力抑えながら輝度を向上できる表示装置を提供することを目的とするものである。
【課題を解決するための手段】
【００１３】
上記目的を達成するため、本発明による表示装置は、サブピクセルが表示画面上に配列され、各サブピクセルにそれぞれ行方向に延びる走査線及び列方向に沿って延びる信号線が接続された表示パネルを備える表示装置において、次に示す点を特徴とする。【００１４】
表示画面の行方向のサイズを行方向の画素数で割り算した値を、行方向での１画素に相当する長さとしたとき、行方向の色配列の一周期が２以上のｍ個分の画素に相当する長さであって、その色配列の一周期は、光の三原色又はこの三原色と補色関係にある三原色のサブピクセルを少なくとも含んで１行に沿って配置された、サブピクセル構成が互いに等しいｍ個のサブピクセル群と、１個以上ｍ個未満の追加サブピクセルと、から構成される。【００１５】
また、表示画面の行方向のサイズを行方向の画素数で割り算した値を、行方向での１画素に相当する長さとしたとき、行方向の色配列の一周期が２以上のｍ個分の画素に相当する長さであって、その色配列の一周期は、光の三原色又はこの三原色と補色関係にある三原色のサブピクセルを少なくとも含んで２行２列にずれずに配置された、サブピクセル構成が互いに等しいｍ個のサブピクセル群と、１列以上ｍ列未満の追加サブピクセルと、から構成される。【００１６】
また、表示画面の行方向のサイズを行方向の画素数で割り算した値を、行方向での１画素に相当する長さとしたとき、行方向の色配列の一周期が２以上のｍ個分の画素に相当する長さであって、その色配列の一周期は、光の三原色又はこの三原色と補色関係にある三原色のサブピクセルを少なくとも含んで２行にわたって１行ごとに半サブピクセルずれて配置された、サブピクセル構成が互いに等しいｍ個のサブピクセル群と、１個以上ｍ個未満の追加サブピクセルと、から構成される。【００１７】
このような表示装置においては、行方向での色配列の一周期の長さ、すなわちｍ個分の画素に相当する長さの中に、その画素の数と同じ数のｍ個のサブピクセル群を構成するサブピクセルが含まれるとともに、その画素の数よりも少ない１個以上ｍ個未満の追加サブピクセルが含まれ、これらの個々に対応してソースドライバが含まれることになる。従って、輝度の向上を実現すべく、１画素ごとに追加サブピクセルを加えた従来の表示装置と比較して、ソースドライバ数の増加を抑えることができる。
【発明の効果】
【００１８】
本発明の表示装置によれば、ソースドライバ数の増加を極力抑えながら輝度を向上できる。
【図面の簡単な説明】
【００１９】
【図１】本発明の第１実施形態の表示装置における表示パネルの構成を示す平面図である。
【図２】第１実施形態における表示パネルでのサブピクセルの色配列を拡大して示す模式図である。
【図３】表示パネルの全体構成を示すブロック図である。
【図４】カラーフィルタ基板の作製工程を示す図である。
【図５】図２に示す色配列においてソースドライバ数を抑制できることを説明するための図である。
【図６】第１実施形態において輝度低下を抑制できることを説明するための図である。
【図７】サブピクセルの階調レベルの一設定手法を説明するための図である。
【図８】サブピクセルの階調レベルの一設定手法を説明するための図である。
【図９】サブピクセルの階調レベルの一設定手法を説明するための図である。
【図１０】サブピクセルの階調レベルの一設定手法を説明するための図である。
【図１１】サブピクセルの階調レベルの一設定手法を説明するための図である。
【図１２】第１実施形態における表示パネルでのサブピクセルの色配列の変形例を示す模式図である。
【図１３】第１実施形態における表示パネルでのサブピクセルの色配列の変形例を示す模式図である。
【図１４】図１３に示す色配列においてソースドライバ数を抑制できることを説明するための図である。
【図１５】第１実施形態における表示パネルでのサブピクセルの色配列の変形例を示す模式図である。
【図１６】図１５に示す色配列においてソースドライバ数を抑制できることを説明するための図である。
【図１７】第１実施形態における表示パネルでのサブピクセルの色配列の変形例を示す模式図である。
【図１８】第１実施形態における表示パネルでのサブピクセルの色配列の変形例を示す模式図である。
【図１９】第１実施形態における表示パネルでのサブピクセルの色配列の変形例を示す模式図である。
【図２０】本発明の第２実施形態の表示装置における表示パネルの構成を拡大して示す平面図である。
【図２１】本発明の第３実施形態の表示装置における表示パネルでのサブピクセルの色配列を拡大して示す模式図である。
【図２２】第３実施形態における表示パネルでのサブピクセルの色配列の変形例を示す模式図である。
【図２３】第３実施形態における表示パネルでのサブピクセルの色配列の変形例を示す模式図である。
【図２４】第３実施形態における表示パネルでのサブピクセルの色配列の変形例を示す模式図である。
【図２５】第３実施形態における表示パネルでのサブピクセルの色配列の変形例を示す模式図である。
【図２６】第３実施形態における表示パネルでのサブピクセルの色配列の変形例を示す模式図である。
【図２７】第３実施形態における表示パネルでのサブピクセルの色配列の変形例を示す模式図である。
【図２８】本発明の第４実施形態の表示装置における表示パネルでのサブピクセルの色配列を拡大して示す模式図である。
【図２９】第４実施形態における表示パネルでのサブピクセルの色配列の変形例を示す模式図である。
【図３０】第４実施形態における表示パネルでのサブピクセルの色配列の変形例を示す模式図である。
【図３１】第４実施形態における表示パネルでのサブピクセルの色配列の変形例を示す模式図である。
【図３２】本発明の第５実施形態の表示装置における表示パネルでのサブピクセルの色配列を拡大して示す模式図である。
【図３３】一般的なストライプ配列を示す図である。
【図３４】一般的なモザイク配列を示す図である。
【図３５】一般的なスクエア配列を示す図である。
【図３６】一般的なデルタ配列を示す図である。
【図３７】従来の表示装置における表示パネルの構成を示す平面図である。
【符号の説明】
【００２０】
１    サブピクセル
１Ａ    追加サブピクセル
２    走査線
３    信号線
４    薄膜トランジスタ
５    ゲート駆動回路
６    ソース駆動回路
７    コントローラ
８    演算回路
【発明を実施するための最良の形態】
【００２１】
以下に、本発明の実施形態について図面を参照しながら詳述する。先ず、本発明の第１実施形態である表示装置について説明する。図１は第１実施形態の表示装置における表示パネルの構成を示す平面図、図２はその表示パネルでのサブピクセルの色配列を拡大して示す模式図、図３はその表示パネルの全体構成を示すブロック図である。【００２２】
先ず最初に、表示画面の行方向のサイズを行方向の画素数で割り算した値を行方向での１画素に相当する長さとし、表示画面の列方向のサイズを列方向の画素数で割り算した値を列方向での１画素に相当する長さと定義する。本実施形態での表示パネルでは、サブピクセル１の色配列がストライプ配列に準じており、行方向で２個分の画素に相当する長さを色配列の一周期として、これが行方向に沿って繰り返し配列されている。【００２３】
具体的には、その一周期には、Ｒ、Ｇ、Ｂ、Ｗ、Ｒ、Ｇ、Ｂの７個のサブピクセル１が１行に沿って配置されており、そのうちの左半分に存在するＲ、Ｇ、Ｂのサブピクセル１が一方の画素に対応するサブピクセル群を構成し、右半分に存在するＲ、Ｇ、Ｂのサブピクセル１が他方の画素に対応するサブピクセル群を構成し、両者の間に輝度を向上させるための追加サブピクセル１Ａが存在している。つまり、その一周期の中に、２個のサブピクセル群が光の三原色であるＲ、Ｇ、Ｂのサブピクセル１を個々に含みつつ、４色目のＷの追加サブピクセル１Ａが１個含まれる。そして、その１行が列方向に繰り返し配列され、列方向では同じ色のサブピクセル１、追加サブピクセル１Ａが並んでいる。このとき、Ｗの追加サブピクセル１Ａの位置は特に限定しないが、７個のサブピクセル１の中央に位置することが好ましい。【００２４】
また本実施形態では、追加サブピクセル１Ａを含めたサブピクセル１の面積は、色の違いにかかわらず互いに同じになっている。もっとも、サブピクセル１のゲート・ドレイン間容量及び補助容量も、互いに同じになっている。【００２５】
追加サブピクセル１Ａを含めた各サブピクセル１は、スイッチング素子である薄膜トランジスタ（ＴＦＴ：Thin  Film  Transistor）４を備え、ＴＦＴ４それぞれには、行方向に延びる走査線２と、列方向に延びる信号線３とが接続されている。また、各走査線２はすべてゲート駆動回路５に接続され、各信号線３はすべてソース駆動回路６に接続されている。ゲート駆動回路５、ソース駆動回路６は、コントローラ７に接続されており、このコントローラ７から出力される制御信号によって制御され、各サブピクセル１を駆動するためのゲート信号、ソース信号を各走査線２、各信号線３に出力する。【００２６】
特に、コントローラ７には演算回路８が含まれている。この演算回路８は、上記した一周期に含まれる２個のサブピクセル群ごとに、外部から入力された２画素分の三原色のサブピクセル１それぞれに対応する６つの階調レベルデータ（Ｒ１、Ｇ１、Ｂ１、Ｒ２、Ｇ２、Ｂ２）を受け取り、Ｗの追加サブピクセル１Ａ用の階調レベルを演算したり、そのＷの追加サブピクセル１Ａ用の階調レベルに応じて三原色のサブピクセル１用の階調レベルを修正したりして、２画素分で合計７つの階調レベルデータ（Ｒ１’、Ｇ１’、Ｂ１’、Ｗ１２、Ｒ２’、Ｇ２’、Ｂ２’）を設定し、これらをソース駆動回路６に出力するものである。【００２７】
続いて、このような表示パネルの作製方法について説明する。ここでは表示パネルとして液晶パネルを例示する。【００２８】
先ず、ＴＦＴアレイ基板の作製方法について説明する。ガラス基板上にアルミニウム等のゲート電極及びゲート配線を形成する。次に、その上層にＳｉＯ２等からなるゲート絶縁膜をＣＶＤ法等により形成する。次に、ゲート絶縁膜の上層にプラズマＣＶＤ法等により、アモルファスシリコンとエッチング保護膜となるＳｉＮｘを連続して積層させ、エッチング保護膜をパターン形成する。その後、ｎ＋アモルファスシリコンの島を形成する。次に、ＩＴＯ（Indium  Tin  Oxide）からなる表示電極（サブピクセル電極）、ドレイン電極、ソース電極、サブピクセル駆動用の走査線２及び信号線３を成膜する。【００２９】
ここでは、サブピクセル駆動用の各信号線３は、詳細は後述するカラーフィルタ基板と貼り合わせるときに、追加サブピクセル１Ａを含めた各サブピクセル１の左端部に配置されるように形成する（図１参照）が、その形成位置は特に限定されるものではなく、各サブピクセル１の右端部に配置されるように形成してもよい。また、各信号線３の形状は特に限定されず、直線状でもよいし、各信号線３の一部が隣のサブピクセル１にはみ出すようなジグザグ状でもよい。また、図１では各サブピクセル１の左下隅部にＴＦＴ４が配置された構成となっているが、各ＴＦＴ４の形成位置は、これに限定されるものではなく、例えば、各信号線３が各サブピクセル４の右端部に配置され、各ＴＦＴ４が各サブピクセル１の右下隅部に配置された構成でもよい。そして最後に、スピンコート等により配向膜を形成することによりＴＦＴアレイ基板の作製が完了する。【００３０】
次に、カラーフィルタ基板の作製方法について、図４を参照しながら説明する。図４（ａ）に示すガラス基板１０上に、図４（ｂ）に示すように、追加サブピクセル１Ａを含めた各サブピクセルをそれぞれ取り囲むようなブラックマトリクス１１を遮光材料によりパターン形成する。これにより、Ｒ、Ｇ、Ｂ、Ｗの各サブピクセルの領域にそれぞれ対応したブラックマトリクス非形成領域が現れる。次に、図４（ｃ）〜（ｆ）に示すように、そのブラックマトリクス非形成領域に、ドライフィルム法により、レッド（Ｒ）の着色層１２ａ、グリーン（Ｇ）の着色層１２ｂ、ブルー（Ｂ）の着色層１２ｃ、ホワイト（Ｗ）の着色層１２ｄを順に形成し、カラーフィルタが得られる。【００３１】
なお、着色層１２ａ〜１２ｄの形成方法としては、特に限定されず、例えば、インクジェット法等や顔料等を分散させた液状材料を基板上に塗布して形成する方法等が挙げられる。着色層１２ａ〜１２ｄが、顔料である場合に、その成分の種類及び成分比は、特に限定されるものではなく、目的に応じて、柔軟に決定することができる。【００３２】
また、各着色層１２ａ〜１２ｄの色膜厚は、特に限定されるものではないが、一定であることが好ましい。その理由を以下に示す。カラーフィルタの色膜厚に大きな違いがある場合、液晶層の厚みを均一にすることは難しい。このような場合次のような問題が生じることがある。第１に、応答速度がカラーフィルタごとに異なる。第２に、斜め方向の視野角がサブピクセルごとに異なる。第３に、液晶容量がカラーフィルタごとに異なり、フリッカの発生や焼きつきが起こる。そこで、色膜厚を一定にすれば上記の問題が解決できる。【００３３】
また、各着色層１２ａ〜１２ｄの色膜厚は、透過率の高さを優先させたカラーフィルタ基板を形成する場合等には薄くすることが好ましく、色純度の高さを優先させたカラーフィルタ基板を形成する場合等には厚くすることが好ましい。なお、ホワイト（Ｗ）の追加サブピクセル１Ａ用の着色層１２ｄには、透明の着色層を形成してもよいし、着色層を形成しなくてもよい。また、ブラックマトリクス１１が、着色層１２ａ〜１２ｄを形成した後に形成されるものであってもよい。【００３４】
そして、着色層１２ａ〜１２ｄの上層に、スパッタ法によりＩＴＯからなる共通電極を形成し、更に、その上層にスパッタ法により配向膜を形成する。これでカラーフィルタ基板の作製が完了する。【００３５】
このようにして作製されたＴＦＴアレイ基板、カラーフィルタ基板について、ＴＦＴアレイ基板の配向膜の上に、プラスチックビーズをスペーサとして散布する。ここで、スペーサの種類は、特に限定されるものではない。柱状のスペーサの場合は、直接基板上に設けられる。最後に、カラーフィルタ基板とＴＦＴアレイ基板とを貼り合わせ、両基板間に液晶分子を含む液晶材料を注入して封入する。こうして、表示パネルとしての液晶パネルが得られる。【００３６】
このような構成の表示パネルを備えた本実施形態の表示装置では、図５の下段に示すように、行方向での色配列の一周期の長さ、すなわち２個分の画素に相当する長さの中に、その画素の数と同じ数の２個のサブピクセル群を構成するサブピクセル１が３個ずつ合計６個含まれるとともに、その画素の数よりも少ない１個のＷの追加サブピクセル１Ａが含まれ、これらの個々に対応して総合計７個のソースドライバが含まれることになる。一方、輝度の向上を実現すべく、１画素ごとにサブピクセルを加えた従来の表示装置では、図５の上段に示すように、２個分の画素に相当する長さの中に、その画素の数と同じ数の２個のサブピクセル群を構成するサブピクセル１が３個ずつ合計６個含まれるとともに、その画素の数と同じ数の２個のＷの追加サブピクセル１Ａが含まれ、これらの個々に対応して総合計８個のソースドライバが含まれることになる。従って、本実施形態の表示装置では、従来の表示装置と比較して、ソースドライバ数の増加を抑えながら輝度を向上できる。【００３７】
また、このような表示装置において、コントローラ７からの指令により、各信号線３に、極性反転駆動方式での電圧のソース信号、すなわち１行に沿った追加サブピクセル１Ａを含めたサブピクセル１に対し交互に極性が異なるような電圧のソース信号を印加すると、１行に沿った追加サブピクセル１Ａ、サブピクセル１が７個（奇数個）を一周期として繰り返し配列されていることから、各行での同色のサブピクセル１への印加電圧の極性がその一周期ごとに交互に反転するようになる。そのため、単色表示の際であっても、各行では同色のサブピクセル１がその一周期ごとに互いに極性が異なるように点灯し、クロストークによる行方向の表示ムラの発生が低減される。つまり、良好な品質のカラー画像が得られる。もっとも、各サブピクセル群には光の三原色であるＲ、Ｇ、Ｂのサブピクセル１が含まれていることから、カラー画像の表示を十分行えるし、Ｗの追加サブピクセル１Ａによって輝度の高い表示画像を得ることができる。【００３８】
具体例を挙げると、図１に示すように、例えばレッド（Ｒ）一色を点灯させようとして各信号線３に極性反転駆動方式での電圧のソース信号を印加すると、各行においてレッド（Ｒ）のサブピクセル１への印加電圧の極性が一周期ごとに交互に反転するようになる。こうして表示ムラの発生が抑制される。なお、図１では、列方向でのフリッカも抑制すべく、１列に沿ったサブピクセル１に対し交互に極性が異なるような電圧のソース信号を印加している。【００３９】
ここで、各信号線３に印加するソース信号としては、１行に沿ったサブピクセル１に対し、交互に極性が異なるような電圧信号を適用しているが、１行に沿ったサブピクセル１に対し、２個ずつ（隣接する２個のサブピクセル１ずつ）で交互に極性が異なるような電圧信号を適用してもよい。このようにしても、各行での同色のサブピクセルへの印加電圧の極性が一周期ごとに交互に反転するようになることに変わりはない。【００４０】
ちなみに、従来の表示装置のような３色のサブピクセルを有する画素ごとにＷ等のサブピクセルを加えたものに、極性反転駆動方式を採用した場合は、１行に沿ったサブピクセルが偶数個ずつ繰り返し配列されていることから、各行での同色のサブピクセルへの印加電圧の極性が同極性に揃ってしまう。そのため、単色表示の際、各行では同色のサブピクセルがすべて同極性で点灯し、これにより対向電極の電位変動や走査線への負荷が大きくなる等の理由で、クロストークによる行方向の表示ムラが発生する。つまり、カラー画像の表示品質が実質損なわれるわけである。【００４１】
その具体例を図３７に示す。図３７は、従来の表示装置における表示パネルの構成を示す平面図である。ここでは、１画素がＲ、Ｇ、Ｂ、Ｗの４色のサブピクセル１で構成され、サブピクセル１の色配列がストライプ配列になっている。つまり、１行には１画素を構成する４個（偶数個）のサブピクセル１がＲ、Ｇ、Ｂ、Ｗの順で繰り返し配置され、列方向では同じ色のサブピクセル１が並んでいる。なお、各サブピクセル１は、ＴＦＴ４を備え、ＴＦＴ４それぞれには、行方向に延びる走査線２と、列方向に延びる信号線３とが接続されている。【００４２】
このような構成の表示パネルにより、例えばレッド（Ｒ）一色を点灯させようとして各信号線３に極性反転駆動方式での電圧のソース信号を印加すると、各行においてレッド（Ｒ）のサブピクセル１への印加電圧の極性が同極性に揃ってしまう。こうして表示ムラが表れる。なお、図３７では、列方向でのフリッカも抑制すべく、１列に沿ったサブピクセル１に対し交互に極性が異なるような電圧のソース信号を印加している。【００４３】
ところで、本来、輝度の向上を目指してサブピクセルを加えると、光の三原色Ｒ、Ｇ、Ｂのサブピクセルの占める面積は減少せざるを得ない。しかし、本実施形態では、一周期の中のすべてのサブピクセルの面積が互いに同じになっているため、１画素ごとにサブピクセルを加えた従来の表示装置と比較して、表示パネルのサイズが同じであって解像度（画素数）も同じである場合、各サブピクセルの面積を大きく確保できる。その結果、光の三原色Ｒ、Ｇ、Ｂを含めたサブピクセルの透過率を確保でき、それぞれの単色輝度の低下を抑制できるという利点がある。【００４４】
具体的には、図６（ａ）の上段に示すように、４色目を加えていない元来の表示装置では、２個分の画素の中に６個のサブピクセル１が含まれており、一方、図６（ａ）の下段に示すように、本実施形態の表示装置では、２個分の画素に相当する色配列の一周期の中に７個のサブピクセル１（追加サブピクセル１Ａも含む）が含まれている。つまり、本実施形態での各サブピクセルの面積の減少は、６／７倍で済む。他方、図６（ｂ）の上段に示すように、元来の表示装置では、１個分の画素の中に３個のサブピクセル１が含まれており、一方、図６（ｂ）の下段に示すように、１画素ごとにサブピクセルを加えた従来の表示装置では、１個分の画素の中に４個のサブピクセル１が含まれている。つまり、従来の表示装置での各サブピクセルの面積の減少は、３／４（＝６／８）倍となる。従って、本実施形態の表示装置では、１画素ごとにサブピクセルを加えた従来の表示装置と比較して、各サブピクセルの面積を大きく確保できるわけである。【００４５】
ここで、Ｗの追加サブピクセル１Ａ用の階調レベルを設定するにあたっての好適な手法について、図３、図７〜図１１を参照しながら説明しておく。【００４６】
第１の手法としては、Ｗの追加サブピクセル１Ａの左方向に位置するサブピクセル群、右方向に位置するサブピクセル群のいずれか一方のサブピクセル群に含まれる三原色のサブピクセル１を採用し、その階調レベルに基づいて、Ｗの追加サブピクセル１Ａ用の階調レベルを設定する。この場合、他方のサブピクセル群を構成するＲ、Ｇ、Ｂ三原色のサブピクセル１の階調レベルは関与しないことになる。【００４７】
例えば、図７に示すように、一周期に含まれる２個のサブピクセル群のうち、Ｗの追加サブピクセル１Ａの左側に位置しているサブピクセル群を構成するＲ、Ｇ、Ｂ三原色のサブピクセル１について、その階調レベルが最も小さい値を抽出して、Ｗの追加サブピクセル１Ａ用の階調レベルに設定する。この例では、Ｂのサブピクセル１用の階調レベルが設定される。【００４８】
これとは逆に、図８に示すように、一周期に含まれる２個のサブピクセル群のうち、Ｗの追加サブピクセル１Ａの右側に位置しているサブピクセル群を構成するＲ、Ｇ、Ｂ三原色のサブピクセル１について、その階調レベルが最も小さい値を抽出して、Ｗの追加サブピクセル１Ａ用の階調レベルに設定するようにしても構わない。この例では、Ｇのサブピクセル１用の階調レベルが設定される。【００４９】
次に第２の手法としては、Ｗの追加サブピクセル１Ａの左方向に位置するサブピクセル群、右方向に位置するサブピクセル群の両方のサブピクセル群に含まれる三原色のサブピクセル１を採用し、その階調レベルに基づいて、Ｗの追加サブピクセル１Ａ用の階調レベルを設定する。この場合、サブピクセル群を構成するＲ、Ｇ、Ｂ三原色のサブピクセル１の階調レベルはすべて関与することになる。【００５０】
例えば、図９に示すように、一周期に含まれる２個のサブピクセル群のうち、Ｗの追加サブピクセル１Ａの左側に位置しているサブピクセル群を構成するＲ、Ｇ、Ｂ三原色のサブピクセル１について、その階調レベルが最も小さい値を抽出する。この例では、Ｂのサブピクセル１用の階調レベルが抽出される。これと合わせて、Ｗの追加サブピクセル１Ａの右側に位置しているサブピクセル群を構成するＲ、Ｇ、Ｂ三原色のサブピクセル１について、その階調レベルが最も小さい値を抽出する。この例では、Ｇのサブピクセル１用の階調レベルが抽出される。そして、抽出した両者を比較して、より小さい方の値を、Ｗの追加サブピクセル１Ａ用の階調レベルに設定する。この例では、右側のサブピクセル群を構成するＧのサブピクセル１用の階調レベルが設定される。【００５１】
また例えば、図１０に示すように、抽出した両者を比較して、より大きい方の値を、Ｗの追加サブピクセル１Ａ用の階調レベルに設定するようにしても構わない。この例では、左側のサブピクセル群を構成するＢのサブピクセル１用の階調レベルが設定される。【００５２】
更に例えば、図１１に示すように、抽出した両者の平均値を、Ｗの追加サブピクセル１Ａ用の階調レベルに設定するようにしても構わない。この例では、左側のサブピクセル群を構成するＢのサブピクセル１用の階調レベルと、右側のサブピクセル群を構成するＧのサブピクセル１用の階調レベルとの平均値が設定される。【００５３】
なお、上記した手法の中で一つの手法のみを常用してもよいが、場合に応じて手法を切り替えるようにしても構わない。【００５４】
また、本実施形態では、サブピクセル１の色配列がストライプ配列であることから、他の配列に比べ高精細な表示品位を得ることができる。但し、本実施形態でのサブピクセル１の色配列をモザイク配列に変形することも勿論可能である。【００５５】
なお、一周期の中の追加サブピクセル１Ａの色については、ホワイト（Ｗ）に限定されるわけではなく、例えば、図１２や図１３に示すように、輝度の高いイエロー（Ｙ）（又はシアン（Ｃ））やグリーン（Ｇ）であっても構わない。追加サブピクセル１Ａの色がイエロー（Ｙ）（又はシアン（Ｃ））の場合は、輝度向上に加えて、色再現範囲が増すという利点もある。【００５６】
図１３に示す色配列の表示パネルを備えた表示装置では、図１４の下段に示すように、行方向での色配列の一周期の長さ、すなわち２個分の画素に相当する長さの中に、その画素の数と同じ数の２個のサブピクセル群を構成するサブピクセル１が３個ずつ合計６個含まれるとともに、その画素の数よりも少ない１個のＧの追加サブピクセル１Ａが含まれ、これらの個々に対応して総合計７個のソースドライバが含まれることになる。一方、輝度の向上を実現すべく、１画素ごとにサブピクセルを加えた従来の表示装置では、図１４の上段に示すように、２個分の画素に相当する長さの中に、その画素の数と同じ数の２個のサブピクセル群を構成するサブピクセル１が３個ずつ合計６個含まれるとともに、その画素の数と同じ数の２個のＧの追加サブピクセル１Ａが含まれ、これらの個々に対応して総合計８個のソースドライバが含まれることになる。そうするとやはり、従来の表示装置と比較して、ソースドライバ数の増加を抑えながら輝度を向上できる。【００５７】
またなお、一周期に含まれる２個のサブピクセル群を構成する三原色のサブピクセル１の色については、光の三原色であるレッド（Ｒ）、グリーン（Ｇ）、ブルー（Ｂ）に限定されるわけではなく、カラー表示を実現できる限り、例えば、光の三原色と補色関係にある三原色であるシアン（Ｃ）、イエロー（Ｙ）、マゼンタ（Ｍ）であっても構わない。【００５８】
またなお、一周期の中の２個のサブピクセル群に対する追加サブピクセル１Ａの数については、例えば、図１５に示すように、ホワイト（Ｗ）とイエロー（Ｙ）の２個であっても構わない。【００５９】
図１５に示す色配列の表示パネルを備えた表示装置では、図１６の下段に示すように、行方向での色配列の一周期の長さ、すなわち２個分の画素に相当する長さの中に、その画素の数と同じ数の２個のサブピクセル群を構成するサブピクセル１が３個ずつ合計６個含まれるとともに、その画素の数よりも少ない１個ずつのＷ、Ｙの追加サブピクセル１Ａが含まれ、これらの個々に対応して総合計８個のソースドライバが含まれることになる。一方、輝度の向上を実現すべく、１画素ごとに２個ずつサブピクセルを加えた従来の表示装置では、図１６の上段に示すように、２個分の画素に相当する長さの中に、その画素の数と同じ数の２個のサブピクセル群を構成するサブピクセル１が３個ずつ合計６個含まれるとともに、その画素の数と同じ数の２個ずつのＷ、Ｙの追加サブピクセル１Ａが含まれ、これらの個々に対応して総合計１０個のソースドライバが含まれることになる。そうするとやはり、従来の表示装置と比較して、ソースドライバ数の増加を抑えながら輝度を向上できる。【００６０】
またなお、一周期に含まれる２個のサブピクセル群について、各々のサブピクセル１の数は、３個に限らず、図１７に示すような４個（Ｒ、Ｇ、Ｙ、Ｂ）であってもよいし、それ以上であってもよい。但し、その数は、ソースドライバ数や各サブピクセル１の輝度低下の軽減を踏まえると、実質、多くても４個程度が望ましい。【００６１】
またなお、一周期に含まれるサブピクセル群の数については、２個に限定されるわけではなく、図１８や図１９に示すような３つでもよいし、それ以上でもよい。特に、図１８では、一周期の中で、全てのサブピクセル群同士の間に１個ずつ追加サブピクセル１Ａが存在する態様を示している。図１９では、一周期の中で、一対のサブピクセル群同士の間に１個追加サブピクセル１Ａが存在する態様を示している。但し、そのサブピクセル群の数は、ソースドライバ数や各サブピクセル１の輝度低下の軽減を踏まえると、実質、多くても３つ程度が望ましい。【００６２】
ところで、一周期の中でのサブピクセル１の色の並び順は、サブピクセル群同士のサブピクセル構成が互いに等しい限り、種々の組み合わせが可能であるが、以下に示す点で留意が必要である。一般に、輝度の高いサブピクセル１が１行に沿って互いに隣接すると、表示画像において、そのサブピクセル１同士が隣接した部分が各行にわたってライン状につながり、一方向に線状のムラ（筋ムラ）となって現れることがある。【００６３】
その筋ムラを防止するために、一周期の中に追加サブピクセル１Ａを含めて４色のサブピクセル１を含んでいる場合は、そのうちで最も輝度の高いサブピクセル１同士、２番目に輝度の高いサブピクセル同士、及び、最も輝度の高いサブピクセルと２番目に輝度の高いサブピクセルと同士が、１行に沿って互いに隣接しないように配置することが望ましい。【００６４】
具体的には、一周期の中にレッド（Ｒ）、グリーン（Ｇ）、ブルー（Ｂ）、ホワイト（Ｗ）のサブピクセルを含んでいる場合（ここではＷが追加サブピクセル１Ａ）、輝度の高い順からＷ、Ｇ、Ｒ、Ｂであるため、例えば、図１及び図２に示すように、Ｒ、Ｇ、Ｂ、Ｗ、Ｒ、Ｇ、Ｂの色配置にすればよい。Ｒ、Ｇ、Ｂ、Ｗ、Ｂ、Ｇ、Ｒの色配置でもよい。また、一周期の中にレッド（Ｒ）、グリーン（Ｇ）、ブルー（Ｂ）、イエロー（Ｙ）（又はシアン（Ｃ））のサブピクセルを含んでいる場合（ここではＹ（又はＣ）が追加サブピ
クセル１Ａ）、輝度の高い順からＹ、Ｇ、Ｒ、Ｂであるため、例えば、図１２に示すように、Ｒ、Ｇ、Ｂ、Ｙ（又はＣ）、Ｒ、Ｇ、Ｂの色配置にすればよい。Ｒ、Ｇ、Ｂ、Ｙ（又はＣ）、Ｂ、Ｇ、Ｒの色配置でもよい。【００６５】
もっとも、一周期の中に追加サブピクセル１Ａを含めて３色のサブピクセルを含んでいる場合は、そのうちで最も輝度の高いサブピクセル同士が、１行に沿って互いに隣接しないように配置することが望ましい。具体的には、一周期の中にレッド（Ｒ）、グリーン（Ｇ）、ブルー（Ｂ）のサブピクセルを含んでいる場合（ここではＧが追加サブピクセル１Ａ）、輝度の高い順からＧ、Ｒ、Ｂであるため、例えば、図１３に示すように、Ｒ、Ｇ、Ｂ、Ｇ、Ｒ、Ｇ、Ｂの色配置にすればよい。Ｒ、Ｇ、Ｂ、Ｇ、Ｂ、Ｇ、Ｒの色配置でもよい。【００６６】
次に、本発明の第２実施形態について、図２０を参照しながら説明する。本第２実施形態の特徴は、第１実施形態における輝度をより高めるように図った点にある。図２０は第２実施形態の表示装置における表示パネルの構成を拡大して示す平面図である。なお、図中で図１〜図１８と同じ名称で同じ機能を果たす部分には同一の符号を付し、重複する説明は省略する。後述する第３、第４実施形態においても同様とする。【００６７】
本実施形態では、図２０に示すように、一周期に含まれるサブピクセル１のうち、その一周期中の追加サブピクセル１Ａの面積を拡大している。つまり、Ｗの追加サブピクセル１Ａの面積が、サブピクセル群を構成する光の三原色Ｒ、Ｇ、Ｂのサブピクセル１の面積よりも大きくなっている。Ｗの追加サブピクセル１Ａは、その輝度がＲ、Ｇ、Ｂのサブピクセル１の輝度よりも高いため、相対的に面積の大きい追加サブピクセル１Ａによって、輝度がより高まり、表示装置としての基本性能がより向上することになる。【００６８】
但し、以下に示す点で留意が必要である。サブピクセル１、１Ａの面積が異なる場合、それに伴ってサブピクセル１、１Ａ同士で液晶容量が異なるため、フィールドスルー電圧に差が生じる。また、液晶容量は液晶にかかる電圧により変化するため、印加電圧変化に対するフィールドスルー電圧の変化にも差が生じる。こういった事態は、フリッカや焼きつきを引き起こす原因となる。【００６９】
そのフィールドスルー電圧は、次式（１）で表される。
ΔＶｄ＝Ｃｇｄ／（Ｃｇｄ＋Ｃｌｃ＋Ｃｃｓ）×Ｖｇｐｐ  ・・・式（１）
この式（１）中、ΔＶｄはフィールドスルー電圧、Ｃｇｄはゲート・ドレイン間容量、Ｃｌｃは液晶容量、Ｃｃｓは補助容量、Ｖｇｐｐはゲート信号の最大値と最小値の差である。【００７０】
ここで、あるひとつのサブピクセル１について、その面積が他のサブピクセル１のｎ倍と仮定した場合、液晶容量Ｃｌｃが他のサブピクセル１の略ｎ倍になる。そこで、ゲート・ドレイン間容量Ｃｇｄ及び補助容量Ｃｃｓを他のサブピクセル１のｎ倍にすれば、上記式（１）中の「Ｃｇｄ／（Ｃｇｄ＋Ｃｌｃ＋Ｃｃｓ）」の項が一定になるため、上記式（１）で表されるフィールドスルー電圧ΔＶｄが一定になり、その結果、フリッカや焼きつきの発生を抑制できる。従って、追加サブピクセル１Ａとサブピクセル群に含まれるサブピクセル１とにおける互いのゲート・ドレイン間容量の比率及び補助容量の比率を互いの面積の比率と略同じにすることが望ましい。【００７１】
次に、本発明の第３実施形態について、図２１を参照しながら説明する。本第３実施形態の特徴は、第１、第２実施形態におけるサブピクセル１の色配列を変形した点にある。図２１は第３実施形態の表示装置における表示パネルでのサブピクセルの色配列を拡大して示す模式図である。【００７２】
本実施形態での表示パネルでは、図２１に示すように、サブピクセル１の色配列が一般的なスクエア配列を変形した態様であり、行方向で２個分の画素に相当する長さを色配列の一周期として、これが行方向に沿って繰り返し配列されている。この一周期の中には、サブピクセル１が２行にわたってずれずに配置されている。【００７３】
具体的には、その一周期には、１行目にＲ、Ｇ、Ｗ、Ｒ、Ｇの５個のサブピクセル１が１行に沿って配置され、２行目にＧ、Ｂ、Ｗ、Ｇ、Ｂの５個のサブピクセル１が１行に沿って配置されており、そのうちの左半分に存在する２行２列にわたるＲ、Ｇ、Ｂのサブピクセル１が一方の画素に対応するサブピクセル群を構成し、右半分に存在する２行２列にわたるＲ、Ｇ、Ｂのサブピクセル１が他方の画素に対応するサブピクセル群を構成し、両者の間に輝度を向上させるための追加サブピクセル１Ａが２行１列で存在している。つまり、その一周期の中に、２個のサブピクセル群が光の三原色であるＲ、Ｇ、Ｂのサブピクセル１（１行目でＲ、Ｇを１個ずつ２行目でＧ、Ｂを１個ずつ）を個々に含みつつ、４色目のＷの追加サブピクセル１Ａ（２行で１個ずつ）が含まれる。そして、その２行が列方向に繰り返し配列されている。【００７４】
このような構成の表示パネルであっても、行方向での色配列の一周期の長さ、すなわち２個分の画素に相当する長さの中に、その画素の数よりも少ない１列でＷの追加サブピクセル１Ａが含まれることから、第１実施形態と同様の効果が得られる。【００７５】
なお、図２１に示す色配列に対して、サブピクセル群同士のサブピクセル構成が互いに等しい限り、図２２に示すように、一方のサブピクセル群における三原色のサブピクセル１のうちのＲ、Ｂのサブピクセル１を入れ替えても構わない。【００７６】
なお、第１実施形態同様に、一周期の中の追加サブピクセル１Ａの色については、ホワイト（Ｗ）に限定されるわけではなく、例えば、図２３に示すように、その一つを輝度の高いイエロー（Ｙ）（又はシアン（Ｃ））に換えても構わない。その他に、グリーン（Ｇ）であっても構わないし、２つともＹやＣやＧであっても構わない。【００７７】
またなお、第１実施形態同様に、一周期に含まれる２個のサブピクセル群を構成する三原色のサブピクセル１の色については、例えば、シアン（Ｃ）、イエロー（Ｙ）、マゼンタ（Ｍ）であっても構わない。【００７８】
またなお、一周期に含まれる２個のサブピクセル群について、各々のサブピクセル１の色は、３色のＲ、Ｇ、Ｂ（１行目でＲ、Ｇを１個ずつ２行目でＧ、Ｂを１個ずつ）に限らず、図２４に示すように、一方のＧをイエロー（Ｙ）（又はシアン（Ｃ））に換えても構わない。更に、図２５に示すように、一周期に含まれる２個のサブピクセル群のうち、一方のサブピクセル群におけるサブピクセル１の色配置を他方のサブピクセル群に対して上下逆さにしても構わない。【００７９】
またなお、第１実施形態同様に、一周期に含まれるサブピクセル群の数については、２個に限定されるわけではなく、３つでもよいし、それ以上でもよい。【００８０】
また、筋ムラの防止に対しての留意点も第１実施形態と同様である。【００８１】
なお、本第３実施形態では一周期の中でサブピクセル１を２行にわたってずれずに配置したが、例えば、図２６や図２７に示すように、２行にわたり１行ごとに半サブピクセルずれて配置しても構わない。図２６では、サブピクセル群がＲ、Ｇ、Ｂ、Ｇの４個のサブピクセル１で構成され、そのサブピクセル群同士の間にＷ、Ｙの追加サブピクセル１Ａが１個ずつ合計２個存在している。図２７では、サブピクセル群がＲ、Ｇ、Ｂ、Ｙの４個のサブピクセル１で構成され、そのサブピクセル群同士の間にＷの追加サブピクセル１Ａが１個存在している。【００８２】
次に、本発明の第４実施形態について、図２８を参照しながら説明する。本第４実施形態の特徴は、第１、第２実施形態におけるサブピクセル１の色配列を変形した点にある。図２８は第４実施形態の表示装置における表示パネルでのサブピクセルの色配列を拡大して示す模式図である。【００８３】
本実施形態での表示パネルでは、図２８に示すように、サブピクセル１の色配列が一般的なデルタ配列を変形した態様であり、行方向で４個分の画素に相当する長さを色配列の一周期として、これが行方向に沿って繰り返し配列されている。この一周期の中には、サブピクセル１が２行にわたり１行ごとに半サブピクセルずれて配置されている。【００８４】
具体的には、その一周期には、１行目にＧ、Ｒ、Ｂ、Ｇ、Ｒ、Ｗ、Ｂの７個のサブピクセル１が１行に沿って配置され、２行目で半サブピクセル右方向にずれてＢ、Ｗ、Ｒ、Ｇ、Ｂ、Ｒ、Ｇの７個のサブピクセル１が１行に沿って配置されている。そのうちの左半分に存在する２行にわたる２個ずつのＲ、Ｇ、Ｂのサブピクセル１が一方の２個のサブピクセル群を構成し、右半分に存在する２行にわたる２個ずつのＲ、Ｇ、Ｂのサブピクセル１が他方の２個のサブピクセル群を構成し、更に、左右半分にそれぞれ存在する一対のサブピクセル群の間に輝度を向上させるためのＷの追加サブピクセル１Ａが１個ずつ存在している。つまり、その一周期の中に、左右に区分された各２個のサブピクセル群が、光の三原色であるＲ、Ｇ、Ｂのサブピクセル１を個々に含みつつ、それぞれ４色目のＷの追加サブピクセル１Ａが含まれる。そして、その２行が列方向に繰り返し配列されている。【００８５】
このような構成の表示パネルであっても、行方向での色配列の一周期の長さ、すなわち４個分の画素に相当する長さの中に、Ｗの追加サブピクセル１Ａが左右に一対のサブピクセル群それぞれにその画素の数よりも少ない１個ずつで含まれることから、第１実施形態と同様の効果が得られる。【００８６】
なお、第１実施形態同様に、一周期の中の追加サブピクセル１Ａの色については、ホワイト（Ｗ）に限定されるわけではなく、例えば、図２９に示すように、輝度の高いイエロー（Ｙ）（又はシアン（Ｃ））であっても構わないし、グリーン（Ｇ）であっても構わない。その他に、その一つをＹやＣやＧに換えても構わない。【００８７】
その他に、追加サブピクセル１Ａを除いたサブピクセル１の色配置の変形例として、図３０や図３１に示すものが例示される。【００８８】
またなお、第１実施形態同様に、一周期に含まれる各２個のサブピクセル群を構成する三原色のサブピクセル１の色については、例えば、シアン（Ｃ）、イエロー（Ｙ）、マゼンタ（Ｍ）であっても構わない。【００８９】
またなお、第１実施形態同様に、一周期に含まれるサブピクセル群の数については、４個に限定されるわけではなく、それ以上でもよい。【００９０】
また、筋ムラの防止に対しての留意点も第１実施形態と同様である。【００９１】
次に、本発明の第５実施形態について、図３２を参照しながら説明する。本第５実施形態の特徴は、第４実施形態におけるサブピクセル１の色配列を変形した点にある。図３２は第５実施形態の表示装置における表示パネルでのサブピクセルの色配列を拡大して示す模式図である。【００９２】
本実施形態での表示パネルでは、図３２に示すように、サブピクセル１の色配列が一般的なデルタ配列を変形した態様であり、行方向で２個分の画素に相当する長さを色配列の一周期として、これが行方向に沿って繰り返し配列されている。この一周期の中には、サブピクセル１が２行にわたり１行ごとに半サブピクセルずれて配置されている。【００９３】
具体的には、その一周期には、１行目にＲ、Ｇ、Ｙ、Ｂの４個のサブピクセル１が１行に沿って配置され、２行目で半サブピクセル右方向にずれてＢ、Ｗ、Ｒ、Ｇの４個のサブピクセル１が１行に沿って配置されている。そのうちの左半分に存在する２行にわたるＲ、Ｇ、Ｂのサブピクセル１が一方のサブピクセル群を構成し、右半分に存在する２行にわたるＲ、Ｇ、Ｂのサブピクセル１が他方の２個のサブピクセル群を構成し、更に、これらのサブピクセル群の間に輝度を向上させるためのＹ、Ｗの追加サブピクセル１Ａが各行に１個存在している。つまり、その一周期の中に、左右に区分された２個のサブピクセル群が、光の三原色であるＲ、Ｇ、Ｂのサブピクセル１を個々に含みつつ、それぞれ４色目のＷの追加サブピクセル１Ａと５色目のＹの追加サブピクセル１Ａが含まれる。そして、その２行が列方向に繰り返し配列されている。【００９４】
このような構成の表示パネルであっても、行方向での色配列の一周期の長さ、すなわち２個分の画素に相当する長さの中に、その画素の数よりも少ない１個ずつのＷ、Ｙの追加サブピクセル１Ａが含まれることから、第１実施形態と同様の効果が得られる。【００９５】
なお、第４実施形態同様に、一周期の中の追加サブピクセル１Ａの色については、ホワイト（Ｗ）やイエロー（Ｙ）に限定されるわけではなく、シアン（Ｃ）やグリーン（Ｇ）であっても構わない。【００９６】
またなお、第４実施形態同様に、一周期に含まれる２個のサブピクセル群を構成する三原色のサブピクセル１の色については、例えば、シアン（Ｃ）、イエロー（Ｙ）、マゼンタ（Ｍ）であっても構わない。【００９７】
またなお、第１実施形態同様に、一周期に含まれるサブピクセル群の数については、２個に限定されるわけではなく、それ以上でもよい。【００９８】
また、筋ムラの防止に対しての留意点も第１実施形態と同様である。【００９９】
以上より、本発明の趣旨をまとめると、以下の通りとなる。サブピクセルが表示画面上に配列され、各サブピクセルにそれぞれ行方向に延びる走査線及び列方向に沿って延びる信号線が接続された表示パネルを備える表示装置において、表示画面の行方向のサイズを行方向の画素数で割り算した値を、行方向での１画素に相当する長さとしたとき、行方向の色配列の一周期が２以上のｍ個分の画素に相当する長さであって、第１に、その色配列の一周期は、光の三原色又はこの三原色と補色関係にある三原色のサブピクセルを少なくとも含んで１行に沿って配置された、サブピクセル構成が互いに等しいｍ個のサブピクセル群と、１個以上ｍ個未満の追加サブピクセルと、から構成される。第２に、その色配列の一周期は、光の三原色又はこの三原色と補色関係にある三原色のサブピクセルを少なくとも含んで２行２列にずれずに配置された、サブピクセル構成が互いに等しいｍ個のサブピクセル群と、１列以上ｍ列未満の追加サブピクセルと、から構成される。第３に、その色配列の一周期は、光の三原色又はこの三原色と補色関係にある三原色のサブピクセルを少なくとも含んで２行にわたって１行ごとに半サブピクセルずれて配置された、サブピクセル構成が互いに等しいｍ個のサブピクセル群と、１個以上ｍ個未満の追加サブピクセルと、から構成される。【０１００】
その他本発明は上記の各実施形態に限定されず、本発明の趣旨を逸脱しない範囲で、種々の変更が可能である。例えば、表示パネルとしては、一対の基板間に挟持された液晶と、その基板のうちの一方の基板上に各サブピクセル１に対応して形成された電極と、他方の基板上にその電極に対向して形成された共通電極及びカラーフィルタと、を含むような液晶パネルに限定されるわけではない。つまり、ＴＦＴ４等のアクティブ素子をサブピクセル１ごとに配置して駆動するアクティブマトリクス駆動によって、カラー画像の表示を行うものであればよく、有機ＥＬパネル等であっても構わない。
【産業上の利用可能性】
【０１０１】
本発明は液晶ディスプレイや有機ＥＬディスプレイ等を備える表示装置に有用である。
【図１】
2007088656.tif 000003
【図２】
2007088656.tif 000004
【図３】
2007088656.tif 000005
【図４】
2007088656.tif 000006
【図５】
2007088656.tif 000007
【図６】
2007088656.tif 000008
【図７】
2007088656.tif 000009
【図８】
2007088656.tif 000010
【図９】
2007088656.tif 000011
【図１０】
2007088656.tif 000012
【図１１】
2007088656.tif 000013
【図１２】
2007088656.tif 000014
【図１３】
2007088656.tif 000015
【図１４】
2007088656.tif 000016
【図１５】
2007088656.tif 000017
【図１６】
2007088656.tif 000018
【図１７】
2007088656.tif 000019
【図１８】
2007088656.tif 000020
【図１９】
2007088656.tif 000021
【図２０】
2007088656.tif 000022
【図２１】
2007088656.tif 000023
【図２２】
2007088656.tif 000024
【図２３】
2007088656.tif 000025
【図２４】
2007088656.tif 000026
【図２５】
2007088656.tif 000027
【図２６】
2007088656.tif 000028
【図２７】
2007088656.tif 000029
【図２８】
2007088656.tif 000030
【図２９】
2007088656.tif 000031
【図３０】
2007088656.tif 000032
【図３１】
2007088656.tif 000033
【図３２】
2007088656.tif 000034
【図３３】
2007088656.tif 000035
【図３４】
2007088656.tif 000036
【図３５】
2007088656.tif 000037
【図３６】
2007088656.tif 000038
【図３７】
2007088656.tif 000039
【手続補正書】
【提出日】平成21年2月10日(2009.2.10)
【手続補正１】
【補正対象書類名】特許請求の範囲
【補正対象項目名】全文
【補正方法】変更
【補正の内容】
【特許請求の範囲】
【請求項１】
サブピクセルが表示画面上に配列され、各サブピクセルにそれぞれ行方向に延びる走査線及び列方向に沿って延びる信号線が接続された表示パネルを備える表示装置において、
表示画面の行方向のサイズを行方向の画素数で割り算した値を、行方向での１画素に相当する長さとしたとき、行方向の色配列の一周期が２以上のｍ個分の画素に相当する長さであって、
その色配列の一周期は、
光の三原色又はこの三原色と補色関係にある三原色のサブピクセルを少なくとも含んで１行に沿って配置された、サブピクセル構成が互いに等しいｍ個のサブピクセル群と、
１個以上ｍ個未満の追加サブピクセルと、から構成される表示装置。
【請求項２】
請求項１に記載の表示装置において、
前記表示パネルにおける色配列がストライプ配列である表示装置。
【請求項３】
サブピクセルが表示画面上に配列され、各サブピクセルにそれぞれ行方向に延びる走査線及び列方向に沿って延びる信号線が接続された表示パネルを備える表示装置において、
表示画面の行方向のサイズを行方向の画素数で割り算した値を、行方向での１画素に相当する長さとしたとき、行方向の色配列の一周期が２以上のｍ個分の画素に相当する長さであって、
その色配列の一周期は、
光の三原色又はこの三原色と補色関係にある三原色のサブピクセルを少なくとも含んで２行２列にずれずに配置された、サブピクセル構成が互いに等しいｍ個のサブピクセル群と、
１列以上ｍ列未満の追加サブピクセルと、から構成される表示装置。
【請求項４】
サブピクセルが表示画面上に配列され、各サブピクセルにそれぞれ行方向に延びる走査線及び列方向に沿って延びる信号線が接続された表示パネルを備える表示装置において、
表示画面の行方向のサイズを行方向の画素数で割り算した値を、行方向での１画素に相当する長さとしたとき、行方向の色配列の一周期が２以上のｍ個分の画素に相当する長さであって、
その色配列の一周期は、
光の三原色又はこの三原色と補色関係にある三原色のサブピクセルを少なくとも含んで２行にわたって１行ごとに半サブピクセルずれて配置された、サブピクセル構成が互いに等しいｍ個のサブピクセル群と、
１個以上ｍ個未満の追加サブピクセルと、から構成される表示装置。
【請求項５】
請求項１〜４のいずれかに記載の表示装置において、
前記色配列の一周期に含まれる１行のサブピクセル数は奇数個である表示装置。
【請求項６】
請求項１〜４のいずれかに記載の表示装置において、
前記追加サブピクセルは、全ての前記サブピクセル群の間に１個ずつ、合計（ｍ−１）個含まれている表示装置。
【請求項７】
請求項１〜４のいずれかに記載の表示装置において、
前記各信号線には、周期的に正負の極性が反転する電圧のソース信号が、１行に沿ったサブピクセルに対し１つ又は２つずつで交互に極性が異なるように印加される表示装置。
【請求項８】
請求項１〜４のいずれかに記載の表示装置において、
前記追加サブピクセルよりも輝度が高いサブピクセルは、前記サブピクセル群の中には存在しない表示装置。
【請求項９】
請求項８に記載の表示装置において、
前記追加サブピクセルの色は、ホワイト、イエロー、シアン又はグリーンである表示装置。
【請求項１０】
請求項１〜４のいずれかに記載の表示装置において、
前記追加サブピクセルと前記サブピクセル群に含まれるサブピクセルとは、面積が互いに略同じである表示装置。
【請求項１１】
請求項１〜４のいずれかに記載の表示装置において、
前記追加サブピクセルは、その面積が前記サブピクセル群に含まれるサブピクセルの面積よりも大きい表示装置。
【請求項１２】
請求項１〜４のいずれかに記載の表示装置において、
前記色配列の一周期が少なくとも４色のサブピクセルを含んでおり、かつ前記追加サブピクセルの色が１色のとき、そのうちで最も輝度の高いサブピクセル同士、２番目に輝度の高いサブピクセル同士、及び、最も輝度の高いサブピクセルと２番目に輝度の高いサブピクセル同士は、１行に沿って互いに隣接しない表示装置。
【請求項１３】
請求項１〜４のいずれかに記載の表示装置において、
前記色配列の一周期が３色のサブピクセルを含んでおり、そのうちで最も輝度の高いサブピクセル同士は、１行に沿って互いに隣接しない表示装置。
【請求項１４】
請求項１〜４のいずれかに記載の表示装置において、
前記追加サブピクセルの階調レベルは、その追加サブピクセルの左方向に位置するサブピクセル群及び右方向に位置するサブピクセル群のいずれか一方のサブピクセル群に含まれるサブピクセルの階調レベルに基づいて設定される表示装置。
【請求項１５】
請求項１４に記載の表示装置において、
前記追加サブピクセルの階調レベルとして、前記一方のサブピクセル群に含まれるサブピクセルの階調レベルのうちの最も小さい階調レベルが設定される表示装置。
【請求項１６】
請求項１〜４のいずれかに記載の表示装置において、
前記追加サブピクセルの階調レベルは、その追加サブピクセルの左方向に位置するサブピクセル群及び右方向に位置するサブピクセル群の両方のサブピクセル群に含まれるサブピクセルの階調レベルに基づいて設定される表示装置。
【請求項１７】
請求項１６に記載の表示装置において、
前記追加サブピクセルの階調レベルとして、前記左方向に位置するサブピクセル群に含まれるサブピクセルの階調レベルのうちの最も小さい階調レベルと、前記右方向に位置するサブピクセル群に含まれるサブピクセルの階調レベルのうちの最も小さい階調レベルとのより小さい方が設定される表示装置。
【請求項１８】
請求項１６に記載の表示装置において、
前記追加サブピクセルの階調レベルとして、前記左方向に位置するサブピクセル群に含まれるサブピクセルの階調レベルのうちの最も小さい階調レベルと、前記右方向に位置するサブピクセル群に含まれるサブピクセルの階調レベルのうちの最も小さい階調レベルとのより大きい方が設定される表示装置。
【請求項１９】
請求項１６に記載の表示装置において、
前記追加サブピクセルの階調レベルとして、前記左方向に位置するサブピクセル群に含まれるサブピクセルの階調レベルのうちの最も小さい階調レベルと、前記右方向に位置するサブピクセル群に含まれるサブピクセルの階調レベルのうちの最も小さい階調レベルとの平均値が設定される表示装置。
【請求項２０】
請求項１〜４のいずれかに記載の表示装置において、
前記追加サブピクセルと前記サブピクセル群に含まれるサブピクセルとにおける互いのゲート・ドレイン間容量の比率及び補助容量の比率が互いの面積の比率と略同じである表示装置。
【請求項２１】
請求項１〜４のいずれかに記載の表示装置において、
前記表示パネルは、一対の基板間に挟持された液晶と、その基板のうちの一方の基板上に前記各サブピクセルに対応して形成された電極と、他方の基板上にその電極に対向して形成された共通電極及びカラーフィルタと、を含む表示装置。
【請求項２２】
請求項２１に記載の表示装置において、
前記カラーフィルタの色膜厚が略一定である表示装置。
【手続補正２】
【補正対象書類名】明細書
【補正対象項目名】００１４
【補正方法】変更
【補正の内容】
【００１４】
すなわち、表示画面の行方向のサイズを行方向の画素数で割り算した値を、行方向での１画素に相当する長さとしたとき、行方向の色配列の一周期が２以上のｍ個分の画素に相当する長さであって、その色配列の一周期は、光の三原色又はこの三原色と補色関係にある三原色のサブピクセルを少なくとも含んで１行に沿って配置された、サブピクセル構成が互いに等しいｍ個のサブピクセル群と、１個以上ｍ個未満の追加サブピクセルと、から構成される表示装置に関する。
【手続補正３】
【補正対象書類名】明細書
【補正対象項目名】００１５
【補正方法】変更
【補正の内容】
【００１５】
また、表示画面の行方向のサイズを行方向の画素数で割り算した値を、行方向での１画素に相当する長さとしたとき、行方向の色配列の一周期が２以上のｍ個分の画素に相当する長さであって、その色配列の一周期は、光の三原色又はこの三原色と補色関係にある三原色のサブピクセルを少なくとも含んで２行２列にずれずに配置された、サブピクセル構成が互いに等しいｍ個のサブピクセル群と、１列以上ｍ列未満の追加サブピクセルと、から構成される表示装置に関する。
【手続補正４】
【補正対象書類名】明細書
【補正対象項目名】００１６
【補正方法】変更
【補正の内容】
【００１６】
また、表示画面の行方向のサイズを行方向の画素数で割り算した値を、行方向での１画素に相当する長さとしたとき、行方向の色配列の一周期が２以上のｍ個分の画素に相当する長さであって、その色配列の一周期は、光の三原色又はこの三原色と補色関係にある三原色のサブピクセルを少なくとも含んで２行にわたって１行ごとに半サブピクセルずれて配置された、サブピクセル構成が互いに等しいｍ個のサブピクセル群と、１個以上ｍ個未満の追加サブピクセルと、から構成される表示装置に関する。
【国際調査報告】
2007088656.tif 000040
2007088656.tif 000041
2007088656.tif 000042
2007088656.tif 000043